(57)【特許請求の範囲】
【請求項１】
人間または動物の患者に複数の医療用液体を輸送する輸送装置（2）であって、
上記輸送装置（2）は、略平行の複数の配管（30）が全長に亘って収容されたチューブ（22）を備え、
上記チューブ（22）の遠位端部である一端は、カテーテルを構成する要素に接続される接続部が設けられ、近位端部である他端は、液体の入った複数の容器の接続部（9）を有するハウジング（3）に接続され、
上記ハウジング（3）は、容器とチューブ（22）の配管（30）とにそれぞれ接続されるように形成された複数の液体の流路（7）を備え、
上記ハウジング（3）の少なくとも１つの流路（7）には、容器からチューブ（22）の対応する配管（30）だけに液体を流す逆止弁（12）が設けられ、
上記チューブ（22）は、中心に１つの配管とその周囲に平行に複数配管を備え、
上記ハウジング（3）の流路（7）の１つは、２つの吐出口（14，15）を備え、
上記２つの吐出口（14，15）は、上記中心の配管と周囲の１つの配管にそれぞれ対向することを特徴とする輸送装置（2）。
【請求項２】
請求項１において、
上記ハウジング（3）の流路（7）は、該ハウジング（3）の中心に向かって、上記チューブ（22）の径と大きさが概ね一致する領域に集められ、
上記流路（7）は、該流路（7）の配置面に対して垂直方向に開口し且つ上記チューブ（22）の配管（30）に対向する吐出口（15）をそれぞれ備えていることを特徴とする輸送装置（2）。
【請求項３】
請求項２において、
上記各吐出口（15）は、中空のスピンドル（16）よってそれぞれ延長され、
上記スピンドル（16）は、上記チューブ（22）の対応する配管（30）に嵌入されることを特徴とする輸送装置（2）。
【請求項４】
請求項１乃至３の何れか１項において、
上記ハウジング（3）は、円形であり、
上記チューブ（22）は、上記ハウジング（3）に同軸に接続されることを特徴とする輸送装置（2）。
【請求項５】
請求項１乃至４の何れか１項において、
上記チューブ（22）の近位端部は、フレア形状であることを特徴とする輸送装置（2）。
【請求項６】
請求項１乃至５の何れか１項において、
上記ハウジング（3）は、円筒スリーブ（28）を備え、
上記円筒スリーブ（28）は、上記チューブ（22）の近位端部が機械連結によって受け止められるように形成されることを特徴とする輸送装置（2）。
【請求項７】
請求項１乃至６の何れか１項において、
上記ハウジング（3）の各流路（7）は、該ハウジング（3）の外壁で開口可能なスロットシャッタまたは可動式フラップシャッタ（17）によって閉じられることを特徴とする輸送装置（2）。
【請求項８】
請求項７において、
上記ハウジング（3）の流路（7）は、該ハウジングの外周部でルアータイプの管状の接続部（9）が内嵌する座部（8）を備え、
上記接続部（9）には、対応する容器に接続される接続部が形成され、上記シャッタ（17）が収容されることを特徴とする輸送装置（2）。
【請求項９】
請求項１乃至８の何れか１項において、
上記流路（7）は、逆止弁（12）を構成するピストン(12)が並進運動可能に配置されるチャンバー（11）を備え、
上記ピストン(12)は、容器から上記チューブ（22）の対応する配管（30）へ液体が流れる第１位置と、配管（30）から対応する容器へ液体が流れるのを遮断する第２位置との間で移動することを特徴とする輸送装置（2）。
【請求項１０】
請求項７乃至９の何れか１項において、
上記各シャッタ（17）は管状であって、閉口する第１端部と開口する第２端部とを有し、
上記各ピストン（12）は、第２位置のピストン（12）が開口する第２端部を塞ぐように配置されることを特徴とする輸送装置（2）。
【請求項１１】
請求項１０において、
上記各ピストン（12）は、第２位置のピストン（12）が開口する第２端部を塞ぐように先細りの端部（20）をそれぞれ有することを特徴とする輸送装置（2）。
【請求項１２】
請求項１１において、
上記各ピストン（12）の先細りの端部（20）は、テーパー状であることを特徴とする輸送装置（2）。
【請求項１３】
請求項９乃至１２の何れか１項において、
上記各ピストン（12）の直径は、対応するチャンバー（11）の穴径に相当し、
上記ピストン（12）の外面には、長手方向に溝（21）が少なくとも１つ設けられ、
上記溝（21）は、容器からチューブ（22）の対応する配管（30）へ液体が流れるように設けられることを特徴とする輸送装置（2）。
【請求項１４】
請求項１乃至１３の何れか１項において、
上記輸送装置（2）は、略円筒状の基部（31）を備え、
上記ハウジング（3）は、該基部（31）の上に配置され、
上記基部（31）は、上記チューブ（22）を巻く胴部を構成することを特徴とする輸送装置（2）。
【請求項１５】
請求項１乃至１４．のその他の何れか１項において、
上記輸送装置（2）は、上記ハウジング（3）の外面に配置されるセンサーを備え、
上記センサーは、流路（7）の中を流れる液体に関する固有の値を少なくとも１つ測定するように配置されることを特徴とする輸送装置（2）。
【発明の詳細な説明】
【技術分野】
【０００１】
本発明は、人間または動物の患者に複数の医療用液体を輸送する装置に関するものである。
【背景技術】
【０００２】
特許文献１によると、患者に複数の医療用液体を輸送する装置が知られている。上記装置は、略平行の複数の配管が全長に亘って収容されるチューブを備えている。上記チューブの遠位端部である一端は、カテーテルを構成する要素に接続される接続部が設けられ、近位端部である他端は、液体の入った複数の容器が接続される接続部を有するハウジングに接続されている。上記ハウジングは、各容器とチューブの各配管とにそれぞれ接続されるように形成された液体の流路を複数備えている。使用上、ハウジングに接続される容器中の各液体は一箇所に集められ、集合領域が形成される。上記集合領域は、上記チューブの遠位側の接続部及びカテーテルを構成する要素の大きさに応じて形成されている。
【先行技術文献】
【特許文献】
【０００３】
【特許文献１】国際公開第ＷＯ２００４／０４５７０４号
【発明の概要】
【発明が解決しようとする課題】
【０００４】
例えば、異なる複数の重力による灌流がこのような輸送装置のハウジングに接続され、または、重力による灌流とシリンジ押圧器等によって制御される正圧の灌流とがこの装置のハウジングに接続されると、容器間の差圧によって上記集合領域から１または複数の容器中へ液体が流れ込むことがある。
【０００５】
結果的に、液体は容器中で混合される。そのため、実際に患者へ輸送される各液量が疑わしくなり、患者に対して十分でない治療が行われることとなる。
【０００６】
同様に、静脈圧と各容器に作用する圧力との差圧によって、血液が１または複数の容器中へ流れることもあり、異なる液体を確実に輸送することができなくなる。
【０００７】
結論として、特許文献１に記載の輸送装置では、装置に接続される容器にそれぞれ含まれる複数の医療用液体を確実に輸送することができない。
【０００８】
そこで、本発明の基礎となる技術課題は、単純な構造で、患者に複数の医療用液体を輸送する装置を提供することにある。さらに、装置に接続される各容器中の液体を確実に輸送し、患者に対して納得のゆく治療を確実に行うことにある。
【課題を解決するための手段】
【０００９】
その目的に対して、本発明は、上記形態の輸送装置において、ハウジングの少なくとも１つの流路には、対応する容器からチューブの対応する配管だけに液体を流す逆止弁が設けられていることを特徴としている。
【００１０】
流路の１つに逆止弁が設けれると、ハウジングに接続される容器中の各液体の集合領域から対応する容器へ液体が逆流するのを防止することができる。そのため、本輸送装置では、容器中の液体を確実に輸送することができる。
【００１１】
また、各流路に逆止弁を備えることによって、集合領域から各容器へ液体が流れ込むのを防止することができる。そのため、本輸送装置では、異なる複数の医療液体を確実に輸送することができる。
【００１２】
結論として、輸送装置のハウジングに重力による灌流や正圧の灌流（シリンジ押圧型の）等を接続することで、集合領域中の圧力が容器中の圧力より大きくなっても、各容器に対応する流路内の逆止弁によって集合領域中の液体は該容器内へ逆流することはない。
【００１３】
さらに、各流路が、容器とチューブの配管とにそれぞれ連通するように設けられ、本発明に従う輸送装置に接続される各容器中の液体は、輸送装置内で混合されることなく患者へ輸送される。
【００１４】
このような輸送装置が設けられると、輸送装置に接続される容器中の各液体の輸送、特に、各医療物質の輸送量や輸送流量を、正確に制御することが可能である。
【００１５】
患者へ輸送される物質の輸送量及び輸送流量をこのように制御することは、患者を治療する上で大変重要である。
【００１６】
例えば、インシュリン治療の場合、共有の注入路を利用して患者へインシュリンや抗生物質が輸送されると、患者に物質を投与する量を正確に制御することができない。そのため、低血糖症の危険性が大幅に高まることがこれまで検証されてきた。逆に、本発明に従う装置を用いて患者へインシュリンや抗生物質が輸送されると、実際にインシュリンと抗生物質とが装置内で混合されることなく輸送されるため、このような低血糖症の危険を回避することができる。
【００１７】
患者の突発的な血圧上昇及び血圧低下を避けるため、血圧上昇剤は、患者に対しておおよそ一定の流量で輸送されなければならない。そのため、血圧上昇剤の輸送は、輸送流量を正確に制御する必要がある。
【００１８】
本発明に従う輸送装置を使用すれば、装置内で他の物質が混ざることはなく、血圧上昇剤は患者へ確実に直接輸送される。また、本発明に従う輸送装置を使用すれば、その輸送流量は正確に制御される。そのため、患者の血圧が急変する危険を回避することができる。
【００１９】
さらに、ハウジングの流路は、該ハウジングの中心に向かって、上記チューブの径と大きさが概ね一致する領域に集められ、上記流路は該流路の配置面に対して垂直方向に開口する吐出口をそれぞれ備え、上記各吐出口は上記チューブの配管に対向する。
【００２０】
好ましくは、各吐出口は中空のスピンドルよってそれぞれ延長され、上記スピンドルは上記チューブの対応する配管に嵌入される。
【００２１】
本発明の実施形態によると、上記ハウジングは円形であり、上記チューブは上記ハウジングに同軸に接続される。
【００２２】
本発明の実施形態によると、上記チューブは中心に１つの配管とその周囲に平行に複数配管を備えている。
【００２３】
さらに、上記ハウジングの流路の１つは、２つの吐出口を備え、上記２つの吐出口は、上記中心の配管と周囲の１つの配管にそれぞれ対向する。
【００２４】
好ましくは、上記チューブの近位端部はフレア形状である。
【００２５】
本発明のさらに別の実施形態によると、上記ハウジングは円筒スリーブを備え、上記円筒スリーブは上記チューブの近位端部が機械連結によって受け止められるように形成される。
【００２６】
さらに、上記ハウジングの各流路は、該ハウジングの外壁で開口可能なスロットシャッタまたは可動式フラップシャッタによって閉口される。
【００２７】
好ましくは、上記ハウジングの流路は、ハウジングの外周部で、ルアータイプの管状の接続部が内嵌する座部を備えている。上記接続部には、対応する容器に接続される接続部が形成され、上記シャッタが収容される。
【００２８】
発明の別の特徴に従うと、上記流路は、逆止弁を構成するピストンが並進運動可能に配置されるチャンバーを備え、上記ピストンは、容器から上記チューブの対応する配管へ液体が流れる第１位置と、配管から対応する容器へ液体が流れるのを遮断する第２位置との間で移動することができる。
【００２９】
さらに、各シャッタは管状であって、閉口する第１端部と開口する第２端部とを有し、上記各ピストンは、第２位置のピストンが開口する第２端部を塞ぐように配置される。
【００３０】
好ましくは、上記各ピストンは、第２位置のピストンが開口する第２端部を塞ぐように先細りの端部をそれぞれ有する。
【００３１】
さらに、各ピストンの先細りの端部は、テーパー状である。
【００３２】
本発明の１実施形態によれば、各ピストンの直径は、対応するチャンバーの穴径に相当し、上記ピストンの外面には、長手方向に溝が少なくとも１つ設けられ、上記溝は、容器からチューブの対応する配管へ液体が流れるように設けられる。
【００３３】
好ましくは、上記輸送装置は、略円筒状の基部を備え、上記ハウジングは、該基部の上に配置され、上記基部は、上記チューブを巻く胴部を構成する。
【００３４】
さらに、上記輸送装置は、上記ハウジングの外面に配置されるセンサーを備え、上記センサーは、流路の中を流れる液体に関する固有の値を少なくとも１つ測定するように配置される。
【００３５】
本発明は、本発明に従う輸送装置の好ましい１実施形態に限らず、いかなる場合も、添付図面を参考に記載された内容に基づいて、明確に理解されるものである。
【図面の簡単な説明】
【００３６】
【図１】図１は、本発明による輸送装置の透視図である。
【図２】図２は、本発明による輸送装置のハウジングの上側フランジが取り外された透視図である。
【図３】図３は、本発明による輸送装置が分解された透視図である。
【図４】図４は、ハウジングの下側フランジの上からの透視図である。
【図５】図５は、ハウジングの上側フランジの下からの透視図である。
【図６】図６は、ハウジングの下側フランジの下からの透視図である。
【図７】図７は、図６の一部拡大図である。
【図８】図８は、２つの作動位置を有する流路内のピストンを示すハウジングの部分断面図である。
【図９】図９は、２つの作動位置を有する流路内のピストンを示すハウジングの部分断面図である。
【図１０】図１０は、基部の上からの透視図である。
【図１１】図１１は、ハウジングとチューブとの間の接続を示すハウジングの部分断面図である。
【発明を実施するための形態】
【００３７】
図１乃至図３は、人間または動物の患者に複数の医療用液体を輸送する装置（2）を示している。
【００３８】
輸送装置（2）は、円形の上側フランジ（4）と円形の下側フランジ（5）とによって形成されるハウジング（3）を備えている。上記ハウジング（3）の外側から中央へ放射状に延びた液体の流路（7）を形成するため、上記２つのフランジ（4）及びフランジ（5）には、凹部（6）がそれぞれ補完的に設けられている。上記流路（7）は等間隔に形成されている。
【００３９】
特に、図８及び図９に示すように、各流路（7）は、外側から内側に向けて、円筒状の座部（8）と、円筒状のチャンバー（11）と、ハウジング（3）の中心に向かって集まる流路（13）とを備えている。上記座部（8）には、液体の入った容器に接続するために形成されたルアータイプの管状接続部（9）が内嵌されている。上記チャンバー（11）には、逆止弁を構成するピストン（12）が並進運動可能に配置されている。
【００４０】
下側フランジ（5）は、流路（7）の配置面に対して垂直方向であって平行に開口する吐出口（14）及び吐出口（15）を備えている。下側フランジ（5）は中心の吐出口（14）とその周囲の吐出口（15）とを備えている。
【００４１】
各流路（7）の流路（13）は、下側フランジ（5）に形成される周囲の吐出口（15）によって延長されている。さらに、流路（13）の一つは、流路（7）が２つの吐出口を備えるように、中心の吐出口（14）によって同様に延長されている。
【００４２】
各吐出口（14）及び吐出口（15）は、下側フランジ（5）と一体形成され、流路（7）の配置面に垂直方向に中空のスピンドル（16）によって延長されている。
【００４３】
各流路（7）は、ハウジング（3）の外壁側で、対応する接続部（9）に収容されるシャッタ（17）によって閉じられている。各シャッタ（17）は、管状であって、ハウジングの外周側には開口を有する膜（18）によって閉口する第１端部と、内側には開口する第２端部とを備えている。
【００４４】
各ピストン（12）は、直径がチャンバー（11）の穴径に相当する略円柱状の第１部分（19）と、対応するシャッタ（17）の方向を向いているテーパ状の第２部分（20）とを備えている。
【００４５】
各ピストン（12）は、該ピストン（12）の第１部分（19）の外面の長手方向に溝（21）を備えている。上記溝（21）は、容器から対応する流路（13）へ液体が流れるように設けられている。
【００４６】
各ピストン（12）は、テーパ状の第２部分（20）がシャッタ（17）の開口する第２端部からある距離だけ離れて配置され、容器から対応する流路（13）へ液体が流れる第１位置と、テーパ状の第２部分（20）がシャッタ（17）の第２端部を塞いで、流路（13）から対応する容器への液体の流れを遮断する第２位置との間で移動することができる。
【００４７】
輸送装置（2）は、略平行の複数の配管（30）が全長に亘って収容されるフレキシブルチューブ（22）を備えている。上記チューブ（22）の近位端部はハウジング（3）に接続され、遠位端部にはカテーテルを構成する要素が接続される接続部が設けられている。さらに、カテーテルを構成する要素が接続される接続部は、ルアーロックタイプの接続部を備えている。
【００４８】
ハウジング（3）は、チューブ（22）の近位端部が機械連結によって受け止められるように同軸円筒状のスリーブ（28）を備えている。チューブ（22）は、ハウジング（3）との接続を強化するため、近位端部はフレア状である。
【００４９】
チューブ（22）は、中心の吐出口（14）に接続される中空のスピンドル（16）が嵌入する中心配管と、周囲の吐出口（15）に接続される中空のスピンドル（16）がそれぞれ嵌入する平行な周辺配管とを備えている。
【００５０】
よって、各流路（7）は、液体の入った容器とチューブ（22）の配管（30）とにそれぞれ接続されるように形成されている。
【００５１】
ハウジング（3）の流路（7）は、ハウジング（3）の中心に向かって、チューブ（22）の径と大きさが概ね一致する領域に集められることも特徴である。
【００５２】
輸送装置（2）は、略円筒状の基部（31）を備え、上記ハウジング（3）は、該基部（31）の上に配置されている。
【００５３】
ハウジング（3）は、下側フランジ（5）の下面に形成される環状のリブ（32）を備えている。上記リブ（32）は、ハウジング（3）と基部（31）の取付を可能にするため、基部（31）の内面に嵌合するように形成されている。
【００５４】
基部（31）は、円状の頂部（34）及び結合タブ（35）を介して基部（31）の内側面に結合され、チューブ（22）をガイドするための同軸状の管部（33）を備えている。
【００５５】
基部（31）は、同軸状の管部（33）を備えている。上記管部（33）は、円状の頂部（34）及び結合タブ（35）を介して基部（31）の内側面に結合され、チューブ（22）を導通している。
【００５６】
また、基部（31）は、放射状の開口部（32）を備えている。上記開口部（32）は、チューブ（22）の出し入れが可能となるように設けられている。また、基部（31）は、外側面にフックタブ（36）を備えている。上記フックタブ（36）は、チューブ（22）の収納部を構成し、基部（31）の周囲にチューブ（22）を２回転以上巻くことが可能である。
【００５７】
つまり、基部（31）は、チューブ（22）を巻く胴部を構成している。チューブ（22）を巻く胴部の土台は、設置を容易にするために広げられていることが特徴である。
【００５８】
開口部（32）は、屈曲するガイド部（37）によってある程度形成されていることが特徴である。上記ガイド部（37）は、上記基部（31）の周囲にチューブ（22）を巻く時に、チューブ（22）が基部の側壁に沿わなくなることを回避するように設けられている。
【００５９】
本発明の実施形態によると、輸送装置（2）は、薄肉部（38）にハウジング（3）の外面にセンサーを備えることができる。各センサーは、流路（7）の中を流れる液体に関する固有の物理量または化学量を測定するように設けられている。
【００６０】
本発明の他の実施形態によると、各シャッタ（17）は取り外し可能な留め部によって覆われている。上記留め部は、接続部（9）にねじ込まれている。
【００６１】
輸送装置（2）の各構成部品の配置方法及び組立方法が下記に記載されている。
【００６２】
輸送装置（2）の配置方法及び組立方法は、下記ステップで行われる。
【００６３】
下側フランジ（5）に形成される凹部（6）の中に、シャッタ（17）と接続部（9）とピストン（12）とをそれぞれ位置決めするステップ。
【００６４】
下側フランジ（5）の上に上側フランジ（4）を設置するステップ。この２つのフランジの設置は、上側フランジ（4）及び下側フランジ（5）にそれぞれ設けられる凸部（41）と凹部（42）とを用いた位置決めによって容易に行われる。
【００６５】
超音波接合等によって、下側フランジ（5）と上側フランジ（4）とを固定するステップ。
【００６６】
基部（31）に形成されている放射状の開口部（32）の中へ、外側から内側へチューブ（22）の近位端部を挿入するステップ。それから、チューブ（22）を保持する管部（33）にチューブ（22）の近位端部を挿入するステップ。
【００６７】
スピンドル（16）がチューブ（22）の配管（30）に嵌合することによって、チューブ（22）の近位端部がスリーブ（28）の中へ自動接続されるステップ。
【００６８】
基部の内壁に環状のリブ（32）を嵌合させることによって、基部（31）の上にハウジング（3）を置くステップ。
【００６９】
開口部（32）から出ているチューブ（22）の余剰部分を、フックタブ（36）を用いて基部の周囲に巻くステップ。
【００７０】
輸送装置（2）の運転動作が下記に記載されている。
【００７１】
初めに、使用者は、治療を受ける患者に取り付けられるカテーテルを構成する要素にチューブ（22）の遠位端部を接続する。次に、使用者は、患者に輸送される医療用液体を含む各容器をルアータイプの接続部（9）に接続する。各容器は、接続部（9）に接続される端部に配液部を備え、上記配液部はシャッタ（17）の膜（18）の開口を介して貫通するように形成されていることが特徴である。
【００７２】
最終的に患者に液体を輸送するために、各容器に含まれる液体は、シャッタ（17）の中へ、次に、ピストン（12）の長手方向に形成される溝（21）に沿って、次に、流路（13）へ、次に、スピンドル（16）を通ってチューブ（22）の配管内へ、そして最後にカテーテルを構成する要素へと流れる。
【００７３】
静脈圧と各容器中に作用する圧力との差圧によって集合領域からチューブの１つの配管へ液体が流れようとすると、ピストン（12）はシャッタ（17）の開口する第２端部を塞ぐ位置へ移動する。こうして、集合領域から対応する容器中へ液体が流れ込むことが防止される。つまり、容器内で液体が混ざり合うことが防止される。
【００７４】
特徴として、ルアータイプの接続部（9）に接続される各容器を取り外すと、流路（7）のピストン（12）の上流側では圧力が低下する。このように圧力が低下すると、ピストン（12）はシャッタ（17）の開口する第２端部を塞ぐ位置へ移動する。こうして、集合領域から対応する流路（13）へ液体が逆流することが防止される。
【００７５】
つまり、ハウジング（3）に接続される容器を取り外すと、集合領域から流路（13）への液体の逆流は、各流路（7）のピストン（12）によって防止される。
【００７６】
尚、本発明は、一例として上述されている輸送装置の実施形態に限定されることなく、選択性のある実施形態の全てを包含している。
【図１】
0005473075.tif 000002
【図２】
0005473075.tif 000003
【図３】
0005473075.tif 000004
【図４】
0005473075.tif 000005
【図５】
0005473075.tif 000006
【図６】
0005473075.tif 000007
【図７】
0005473075.tif 000008
【図８】
0005473075.tif 000009
【図９】
0005473075.tif 000010
【図１０】
0005473075.tif 000011
【図１１】
0005473075.tif 000012